(57)【要約】【課題】  録画されたコンテンツデータを再生するまでの時間を短縮し、かつ搭載されたハードウエア資源を有効に活用することができる「車載用電子装置及びその録画再生方法」を提供する。【解決手段】  車載用電子装置２は、コンテンツデータの識別データを解読することで再生用データを抽出するＴＳデコーダ４０と、ＴＳデコーダ４０によって抽出された再生用データをデコードするＭＰＥＧデコーダ５０Ａと、コンテンツデータを録画する記録装置８０と、録画装置８０に録画された複数のコンテンツデータを多重化するＴＳ多重化部１１０と、多重化コンテンツデータの再生を制御するコントローラ１００Ａとを有する。コントローラ１００Ａは、多重化コンテンツデータから各コンテンツデータのＡＶデータを抽出させ、ＭＰＥＧデコーダ５０Ａから選択されたＡＶデータを出力させる。【選択図】  図１
2009212710.tif 000002
【特許請求の範囲】
【請求項１】
コンテンツデータを再生および録画する機能を備えた電子装置であって、
再生用データと当該再生用データを識別する識別データを含む符号化されたコンテンツデータを入力し、前記識別データを解読することで再生用データを抽出する抽出手段と、
前記抽出手段によって抽出された再生用データを復号化する復号化手段と、
復号化された再生用データを出力する出力手段と、
前記抽出手段によって抽出された再生用データとこれに対応する識別データを含むコンテンツデータを録画する録画手段と、
前記録画手段に録画されたコンテンツデータの中から選択された複数のコンテンツデータを多重化した多重化コンテンツデータを作成し、当該多重化コンテンツデータを前記録画手段に録画する多重化手段と、
前記多重化コンテンツデータの再生を制御する制御手段とを有し、
前記制御手段は、前記抽出手段に前記多重化コンテンツデータから各コンテンツデータの再生用データを抽出させ、かつ前記制御手段は、各再生用データを復号化している前記復号化手段に選択された再生用データを出力させる、
を有する電子装置。
【請求項２】
前記多重化手段は、複数のコンテンツデータの各識別データを多重化する、請求項１に記載の電子装置。
【請求項３】
電子装置はさらに、地上波ディジタル放送を受信する受信手段を含み、前記抽出手段は、前記受信手段から出力されたデータストリームを前記コンテンツデータとして入力する、請求項１に記載の電子装置。
【請求項４】
前記録画手段は、前記データストリームに含まれる特定のセグメントのコンテンツデータを録画する、請求項３に記載の電子装置。
【請求項５】
前記制御手段は、ユーザ入力に応じて前記復号化手段から出力される再生用データを選択する、請求項１に記載の電子装置。
【請求項６】
前記復号化手段は、各再生用データを連続的に復号化する、請求項１に記載の電子装置。
【請求項７】
電子装置はさらに、前記録画手段に録画された多重化コンテンツデータを外部へデータ転送するためのデータ転送手段を含む、請求項１に記載の電子装置。
【請求項８】
コンテンツデータを再生および録画する機能を備えた車載用電子装置であって、
複数のアンテナと、
複数のアンテナからの受信信号を受け取る複数のチューナと、
復習のチューナからの出力信号を復調してディジタル化されたトランスポートストームを出力する復調器と、
復調器からのトランスポートストリームを入力し、トランスポートストリームに含まれる識別データを解読することで再生用データを抽出するデコード手段と、
前記デコード手段によって抽出された再生用データを再生する再生手段と、
再生されたデータを出力する出力手段と、
前記デコード手段によって抽出された再生用データとこれに対応する識別データとを含むコンテンツデータを録画する録画手段と、
前記録画手段に録画された複数のコンテンツデータの中から複数のコンテンツデータを選択し、選択された複数のコンテンツデータを多重化した多重化コンテンツデータを作成し、多重化コンテンツデータを前記録画手段に録画する多重化手段と、
前記多重化コンテンツデータの再生を制御する制御手段とを有し、
前記制御手段は、前記デコード手段に前記多重化コンテンツデータに含まれるコンテンツデータの再生用データを抽出させ、かつ前記制御手段は、抽出された再生用データを再生している前記再生手段に選択された再生用データを出力させる、車載用電子装置。
【請求項９】
車載用電子装置におけるコンテンツデータの録画再生方法であって、
再生用データと当該再生用データを識別する識別データを含む符号化されたコンテンツデータを入力し、前記識別データを解読することで再生用データを抽出するステップと、
前記抽出された再生用データとこれに対応する識別データとを含むコンテンツデータを録画するステップと、
録画された複数のコンテンツデータの中から複数のコンテンツデータを選択し、複数のコンテンツデータを多重化した多重化コンテンツデータを作成し、多重化コンテンツデータを録画するステップと、
前記多重化コンテンツデータの識別データを解読し、多重化コンテンツデータに含まれる複数のコンテンツデータから複数の再生用データを抽出するステップと、
抽出された複数の再生用データを再生するステップと、
再生された複数の再生用データから選択された再生用データを出力するステップと、
を有するコンテンツデータの録画再生方法。
【請求項１０】
前記複数の再生用データは、連続的にループ再生される、請求項９に記載の録画再生方法。
【発明の詳細な説明】
【技術分野】
【０００１】
本発明は、地上波ディジタルテレビ放送やその他のメディアから得られるディジタルコンテンツデータを録画し、再生する機能を備えた電子装置に関し、特に、ディジタルコンテンツデータを多重化して録画する技術に関する。
【背景技術】
【０００２】
地上波ディジタル放送では、１つのチャンネルが１３のセグメントに分かれた構造となっており、ハイビジョン放送には１２セグメント、通常画質の放送には４セグメントが割り当てられている。また、携帯電話など車載用のモバイル端末に対しては、画面が小さく解像度も低いため１セグメントのみを割り当てた低解像度の放送（以下、ワンセグ放送）を行っている。
【０００３】
特許文献１は、映像番組を記録する際に、番組のジャンルや放送時間などを含む電子番組情報を合わせて記録し、電子番組情報の内容に応じて録画情報に分類番号（例えば、ドラマの分類番号は１、ニュースの分類番号は２など）を割り当てている。これにより、ユーザは分類番号から録画情報の内容を容易に推測することができる。
【特許文献１】国際公開ＷＯ  ００／０２３８６
【発明の開示】
【発明が解決しようとする課題】
【０００４】
車載用電子装置は、ナビゲーション機能に加えて、テレビやラジオ放送を受信したり、マルチメディアデータを再生したり、これらのデータを録画する機能を搭載しつつある。こうした車載用電子装置は、家庭用の固定式録画再生装置と異なり、大容量のハードディスクドライブ（以下、ＨＤＤと称す）やブルーレイディスクのような大容量メディアへの録画機能を備えていないため、フルハイビジョン映像の録画をすることは困難である。そのため、車載用電子装置の録画ではワンセグの番組録画が主流となっている。
【０００５】
図１０は、従来の車載用電子装置の構成を示すブロック図である。車載用電子装置１は、４本のアンテナ１０と、４本アンテナで受信された地上波放送を受信する４つのチューナ２０と、チューナ２０で受信された中間周波数信号ＩＦを復調しディジタル化されたトランスポートストリームＴＳを生成するＯＦＤＭ復調器３０と、トランスポートストリームＴＳに含まれるヘッダ部を解読し、ＡＶ（オーディオ、ビデオ）データを抽出するＴＳデコーダ４０と、ＴＳデコーダ４０によって抽出されたＡＶデータを受け取り、ＡＶデータを復号化し、ビデオおよびオーディオを再生するＭＰＥＧデコーダ５０と、ＭＰＥＧデコーダ５０によって復号化されたビデオデータを表示する液晶等のディスプレイ６０と、復号化されたオーディオデータを出力するスピーカ７０と、ＴＳデコーダ４０によって抽出されたコンテンツデータを録画するＨＤＤ等の記録装置８０と、ユーザからの入力を受け取るユーザ入力９０と、各部を制御するコントローラ１００とを含んでいる。コントローラ１００は、制御信号Ｓ１、Ｓ２、Ｓ３を介してそれぞれ復調器３０、ＴＳデコーダ４０および記憶装置８０を制御している。
【０００６】
車載用電子装置における再生および録画は、次のようにして行われる。車載用電子装置１０の電源がオンされ、ユーザ入力９０から番組（またはコンテンツ）の選択が入力される。コントローラ１００は、番組の選択に応じた制御信号Ｓ２をＴＳデコーダ４０へ出力し、ＴＳデコーダ４０は、制御信号Ｓ２に基づきヘッダ部の解析に従いトランスポートストリームＴＳから対応する番組のＡＶデータを抽出する。抽出されたＡＶデータは、ＭＰＥＧデコーダ５０を介して映像および音声出力される。
【０００７】
ユーザ入力９０から番組録画の指示が入力されると、コントローラ１００は、制御信号Ｓ２をＴＳデコーダ４０へ出力し、ＴＳデコーダ４０は、制御信号Ｓ２に基づき録画番組のコンテンツデータを抽出し、記録装置８０は、制御信号Ｓ３の指示に従い抽出されたコンテンツデータを録画する。録画は、選局したチャンネルからワンセグをパーシャル化して記録装置８０に保存している。
【０００８】
図１１は、車載用電子装置で録画されたコンテンツデータを再生するときの動作フローである。車載用電子装置１０の電源がオンされ（ステップＳ１）、ユーザ入力９０から再生する録画番組（またはコンテンツ）の選択が成され（ステップＳ２）、これに応答してＴＳでコーダ４０には、対応するコンテンツデータが記録装置８０から入力される（ステップＳ３）。ＴＳデコーダ４０は、ＡＶデータを抽出し、これらをＭＰＥＧデコーダ５０へ出力する（ステップＳ４）。ＡＶデータは、ＭＰＥＧデコーダによってデコードされ（ステップＳ５）、録画番組がユーザに提供される（ステップＳ６）。ユーザ入力９０から録画番組またはコンテンツの切替があると（ステップＳ７）、コントローラ１００は、それに応じたコンテンツデータを記録装置８０から選択し、選択したコンテンツデータをＴＳデコーダ４０へ出力させ、再生が行われる。
【０００９】
このように従来の録画再生方法では、録画されているコンテンツを切替える場合には、その都度、記録装置８０からコンテンツデータを読み出して、これをＴＳデコーダ４０で処理しなければならない。ＴＳデコーダ４０によるディジタル信号処理には一定の時間がかかるため、切替えられた録画番組を再生するまでには時間がかかってしまう。特に、コンテンツが多い場合には、ザッピングにストレスが増すという課題がある。
【００１０】
また、車載用電子装置は、フルセグメントの地上波ディジタル放送に対応するため、ＴＳデコーダ４０やＭＰＥＧデコーダ５０は、固定用受信機向けのハイエンドチップがシュリンクされていることが多く、ワンセグ放送の録画や再生のみの使用では、処理能力にかなりの余裕があり、すなわち、それらの性能が十分にかつ効果的に活用されていない。
【００１１】
本発明は、上記従来の課題を解決し、録画されたコンテンツデータを再生するまでの時間を短縮し、かつ搭載されたハードウエア資源を有効に活用することができる車載用電子装置およびその録画再生方法を提供することを目的とする。
【課題を解決するための手段】
【００１２】
本発明に係る電子装置は、コンテンツデータを再生および録画する機能を備えたものであり、再生用データと当該再生用データを識別する識別データを含む符号化されたコンテンツデータを入力し、前記識別データを解読することで再生用データを抽出する抽出手段と、前記抽出手段によって抽出された再生用データを復号化する復号化手段と、復号化された再生用データを出力する出力手段と、前記抽出手段によって抽出された再生用データとこれに対応する識別データを含むコンテンツデータを録画する録画手段と、前記録画手段に録画された複数のコンテンツデータの中から選択された複数のコンテンツデータを多重化した多重化コンテンツデータを作成し、多重化コンテンツデータを前記録画手段に録画する多重化手段と、前記多重化コンテンツデータの再生を制御する制御手段とを有し、前記制御手段は、前記抽出手段に前記多重化コンテンツデータから各コンテンツデータの再生用データを抽出させ、かつ前記制御手段は、各再生用データを復号化している前記復号化手段に選択された再生用データを出力させる。
【００１３】
好ましくは前記多重化手段は、複数のコンテンツデータの各識別データを多重化する。電子装置はさらに、地上波ディジタル放送を受信する受信手段を含み、前記抽出手段は、前記受信手段から出力されたデータストリームを前記コンテンツデータとして入力することができる。好ましくは録画手段は、前記データストリームに含まれる特定のセグメントのコンテンツデータを録画する。
【００１４】
好ましくは前記制御手段は、ユーザ入力に応じて前記復号化手段から出力される再生用データを選択する。好ましくは復号化手段は、各再生用データを連続的に復号化する。好ましくは電子装置はさらに、前記録画手段に録画された多重化コンテンツデータを外部へデータ転送するためのデータ転送手段を含む。
【００１５】
本発明に係る車載用電子装置におけるコンテンツデータの録画および再生方法は、再生用データと当該再生用データを識別する識別データを含む符号化されたコンテンツデータを入力し、前記識別データを解読することで再生用データを抽出するステップと、前記抽出された再生用データとこれに対応する識別データとを含むコンテンツデータを録画するステップと、録画された複数のコンテンツデータの中から複数のコンテンツデータを選択し、複数のコンテンツデータを多重化した多重化コンテンツデータを作成し、多重化コンテンツデータを録画するステップと、前記多重化コンテンツデータの識別データを解読し、多重化コンテンツデータに含まれる複数のコンテンツデータから複数の再生用データを抽出するステップと、抽出された複数の再生用データを再生するステップと、再生された複数の再生用データから選択された再生用データを出力するステップとを有する。
【発明の効果】
【００１６】
本発明によれば、コンテンツデータを多重化して録画し、録画された多重化コンテンツデータを再生するようにしたので、多重化されたコンテンツデータ内のコンテンツの切替であれば、従来と比較して、再生するまでの時間を短縮しすることができ、ザッピングによるストレスを緩和することができる。
【発明を実施するための最良の形態】
【００１７】
本発明の最良の実施の形態について図面を参照して詳細に説明する。ここでは、ナビゲーション機能、地上波ディジタル放送の受信機能を搭載した車載用電子装置を例に用いるが、本発明の電子装置は、必ずしもこのような態様に限定されるものではない。
【実施例】
【００１８】
図１は、本発明の実施例に係る車載用電子装置の構成を示すブロック図であり、従来の説明で用いた図１０と同一構成については同一参照番号を付してある。本実施例の車載用電子装置２は、４つのアンテナ１０から地上波ディジタル放送を受信する４つのチューナ２０、中間周波数の搬送波（ＩＦ）を復調して元の符号化されたディジタル信号に復調する直交周波数分割多重方式復調器（以下、ＯＦＤＭ復調器と称す）３０、ＯＦＤＭ復調器３０から出力されたトランスポートストリーム（以下、ＴＳと称す）を入力し、ＴＳの識別データを含むヘッダ部をデコードするＴＳデコーダ４０、ＴＳデコーダ４０で分離または抽出されたＡＶ（オーディオおよびビデオ）データを入力し、ＡＶデータを復号化してビデオデータおよびオーディオデータを再生するＭＰＥＧデコーダ５０Ａ、ディスプレイ６０、スピーカ７０、ＴＳデコーダ４０からのＴＳコンテンツデータおよび多重化コンテンツデータを記録する記録装置８０、ユーザ入力９０、記録装置８０に記録されたＴＳコンテンツデータから多重化された多重化コンテンツデータを作成し、これを記録装置８０に記録するＴＳ多重化部１１０、多重化コンテンツデータを外部機器に転送するデータ出力１２０、および各部を制御するコントローラ１００Ａを含んでいる。
【００１９】
コントローラ１００Ａは、従来と同様に、制御信号Ｓ１、Ｓ２、Ｓ３を復調器３０、ＴＳデコーダ４０、記録装置８０に供給するが、加えて、制御信号Ｓ４、Ｓ５をＭＰＥＧデコーダ５０Ａ、およびＴＳ多重化部１１０へ供給する。後述するように、ＴＳデコーダ４０が多重化コンテンツデータをデコードするとき、ＭＰＥＧデコーダ５０Ａは、多重化コンテンツデータの多重化されたＡＶデータを同時に再生するが、コントローラ１００Ａからの制御信号Ｓ４に応答して選択されたＡＶデータを出力する。
【００２０】
図２は、ＴＳのデータ構造を説明する図である。多重化信号の１つであるＴＳは、地上波ディジタル放送の多重化信号として利用されており、映像、音声、データ放送などの個別のストリームをアプリケーションや伝送路の種類によらず共通の信号形式で扱い、１つのストリームとして伝送できることを特徴とする。
【００２１】
ＴＳ２００は、１８８バイトの固定長で分割したＴＳパケット２１０を連続した信号列である。ＴＳパケット２１０は、ヘッダ部２２０とデータ部２３０を含む。ヘッダ部２２０には、ＴＳパケットを識別するためのＩＤ（以下、ＴＳ＿ｉｄと称す）や電子番組表（以下、ＥＰＧと称す）などを格納する識別部２２２、ＴＳパケットに含まれる各ＰＩＤやプログラムの格納先をＳｅｒｖｉｃｅ＿ｉｄで示すプログラムアソシエーションテーブル（以下、ＰＡＴと称す）２２４、ＴＳパケットに含まれる各種エレメンタリーストーム（以下、ＥＳと称す）の格納先であるプログラムマップテーブル（以下、ＰＭＴと称す）２２６を含む。
【００２２】
ビデオデータ、オーディオデータ、その他のデータは、それぞれ固有のＰＩＤを持つＴＳパケットとして伝送され、１つのＴＳに複数のＴＳパケットが混在しても、ヘッダ部２２０の情報により各ＴＳパケットの種類や出力順序を判別することができる。データ部２３０は、ビデオデータである映像ＥＳ２３２、オーディオデータである音声ＥＳ２３４、それ以外のデータＥＳ２３６を含む。
【００２３】
ＴＳデコーダ４０は、ＯＦＤＭ復調器３０により復調されたＴＳデータストリーム２００からＴＳパケット２１０を取り出し、ＴＳパケットをデマルチプレクサ（以下、ＤＭＵＸと称す）により、ＴＳパケットの属性情報を記憶するヘッダ部２２０と、映像、音声、データ放送の情報そのものであるデータ部２３０に分けて出力する。さらに、ＴＳデコーダ４０は、ヘッダ部２２０をデコードし、ＴＳパケットのビデオおよびオーディオのＡＶデータをＭＰＥＧデコーダ５０Ａに出力する。また、録画時には、デコードしたＴＳコンテンツデータを記録装置８０に出力する。
【００２４】
図３は、ＴＳ多重化部１１０の内部構成を示すブロック図である。ＴＳ多重化部１１０は、記録装置８０から複数のＴＳコンテンツデータを選択するＴＳコンテンツデータ選択部１１２と、選択された複数のＴＳコンテンツデータに共通の多重化ヘッダ部を作成し、多重化ヘッダ部により選択されたＴＳコンテンツデータを多重化する多重化コンテンツデータ作成部１１４と、多重化コンテンツデータ作成部１１４で作成された多重化コンテンツデータを多重化コンテンツデータ記録装置８０に記録する記録部１１６とを有している。
【００２５】
多重化コンテンツデータ作成部１１４は、ＴＳコンテンツデータ（パケット）が共有するヘッダ部を作成する。また、ヘッダ部は、後述するように、識別部ＴＳ２２２、ＰＡＴ２２４、ＰＭＴ２２６のすべてを共有としてもよいし、一部を共有としてもよい。
【００２６】
ＴＳコンテンツデータ選択部１１２は、好ましくはコントローラ１００Ａの制御信号Ｓ５に基づきＴＳコンテンツデータを選択する。例えば、ＴＳコンテンツデータ選択部１１２は、ユーザ入力９０によりユーザが多重化を希望するＴＳコンテンツデータを記録装置８０から検索し、該当するＴＳコンテンツデータを選択する。また、ＴＳコンテンツデータ選択部１１２は、番組名が共通のＴＳコンテンツデータを選択したり、出演者が共通の番組のＴＳコンテンツデータを選択したり、一定の期間内に録画されたＴＳコンテンツデータを選択したり、録画された順序に従ってＴＳコンテンツデータを選択したりすることができる。好ましくは、ＴＳコンテンツデータ選択部１１２は、ＴＳデコーダ４０の処理能力に応じた数のＴＳコンテンツデータを多重化する。
【００２７】
次に、本実施例により多重化されたコンテンツデータの具体例を図４に示し、従来の記録装置に記録されたコンテンツデータの具体例を図５に示す。ここでは、説明を分かり易くするために、３つのＴＳコンテンツデータを例に用いる。図５に示すように、ＴＳコンテンツデータＡ、Ｂ、Ｃは、それぞれ個別のヘッダ部とデータ部とを有する。
【００２８】
ＴＳコンテンツデータＡのヘッダ部２２０には、識別部２２２おいて、「ＴＳ＿ｉｄ＝０１」が記憶され、ＰＡＴ２２４には、「Ｓｅｒｖｉｃｅ＿ｉｄ＝１００１」が記憶され、ＰＭＴ２２６には、映像ＥＳのパケット識別子（以下、映像ＥＳ＿ＰＩＤと称す）に「０ｘ０１０１」、音声ＥＳのパケット識別子（以下、音声ＥＳ＿ＰＩＤと称す）に「０ｘ０２０１」、データ放送ＥＳのパケット識別子（データＥＳ＿ＰＩＤと称す）に「０ｘ００１」、映像ＥＳ、音声ＥＳ及びデータ放送ＥＳを関連付けを行うＰＣＲのパケット識別子（以下、ＰＣＲ＿ＰＩＤと称す）に「０ｘ０４０１」が記憶される。データ部２３０には、ヘッダ部のＰＭＴが記憶するＰＩＤに対応する映像ＥＳ２３２、音声ＥＳ２３４、データＥＳ２３６が保管されている。他のＴＳコンテンツデータＢ、Ｃについても同様である。
【００２９】
他方、本実施例に係る多重化コンテンツデータＭは、図４に示すように、ＴＳコンテンツデータＡ、Ｂ、Ｃの識別部２２２が保持するＴＳ＿ｉｄ＝０１、０２、０３と関連付けされた共通の識別部３００にＴＳ＿ｉｄ＝０４と作成する。この共通の識別部３００により、ＴＳコンテンツデータＡ、Ｂ、Ｃを識別することができる。言い換えれば、多重化コンテンツデータＭは、ＴＳコンテンツデータＡ、Ｂ、Ｃをグループ化して包含することになる。上記した多重化コンテンツデータ作成部１１４は、このような共通の識別部を作成することでＴＳコンテンツデータの多重化を行う。また、識別部以外のヘッダ部およびデータ部の構成は、図５と同様である。
【００３０】
次に、本実施例の車載用電子装置における録画されたコンテンツデータの再生動作を図６に示すフローチャートを参照して説明する。先ず、車載用電子装置１０の電源がオンされ（ステップＳ１０１）、ユーザ入力９０から再生する録画番組（またはコンテンツ）の選択が成される（ステップＳ１０２）。ここでは、ユーザがＴＳコンテンツデータＡ（図４を参照）の再生を指示したものとする。
【００３１】
コントローラ１００Ａは、制御信号Ｓ３を介してＴＳコンテンツデータＡを検索し、ＴＳコンテンツデータＡを多重化したコンテンツデータＭを記録装置８０からＴＳデコーダ４０に出力させる。ＴＳデコーダ４０は、多重化コンテンツデータＭを入力すると（ステップＳ１０３）、多重化コンテンツデータＭの共通の識別部３００をデコードする。これにより、ＴＳコンテンツデータＡ、Ｂ、Ｃを識別し、さらにＴＳコンテンツデータＡ、Ｂ、Ｃのヘッダ部をデコードすることで、それらのコンテンツデータＡ、Ｂ、Ｃに含まれるＡＶデータを分離し、分離したＡＶデータをＭＰＥＧデコーダ５０Ａへ出力する（ステップＳ１０４）。
【００３２】
ＭＰＥＧデコーダ５０Ａは、ＴＳデコーダ４０から出力されたＡＶデータを復号化し、ビデオデータとオーディオデータに分離する（ステップＳ１０５）。重要なのは、ＭＰＥＧデコーダ５０がＴＳコンテンツデータＡ、Ｂ、ＣのそれぞれのＡＶデータを同時に再生していることである。コントローラ１００Ａは、ＴＳコンテンツデータＡが選択されていることを制御信号Ｓ４によりＭＥＰＧデコーダ５０Ａに知らせ、これにより、ＭＰＥＧデコーダ５０Ａは、コンテンツデータＡについて再生されたビデオデータおよびオーディオデータを出力し、コンテンツデータＢ、Ｃについて再生されたビデオデータおよびオーディオデータは出力しない。
【００３３】
ディスプレイ６０およびスピーカ７０により選択された録画番組がユーザに提供される（ステップＳ１０６）。ユーザ入力９０から録画番組またはコンテンツの切替があると（ステップＳ１０７）、コントローラ１００Ａは、制御信号Ｓ４を介してコンテンツの切替をＭＰＥＧデコーダ５０Ａに知らせ、ＭＰＥＧデコーダ５０Ａは、切替えられたコンテンツデータについての再生しているビデオデータおよびオーディオデータを出力する（ステップＳ１０８）。例えば、コンテンツデータＡからＢへの切替のユーザ入力があると、ＭＰＥＧデコーダ５０Ａは、コンテンツデータＢのビデオデータおよびオーディオデータに出力を切替える。
【００３４】
このように本実施例では、多重化されたコンテンツデータをＴＳデコーダで処理し、それらのＡＶデータをＭＰＥＧデコーダ５０Ａで処理しているため、録画再生するコンテンツを切替えるとき、ＭＰＥＧデコーダ５０Ａの出力を切替えるだけで即座にコンテンツを再生出力することができる。このため、従来の録画再生と比べて、再生するまでの時間を大幅に短縮することができる。
【００３５】
また、ＴＳデコーダ４０は、コンテンツデータをデコードすることにより取得された番組名や番組情報を不揮発性メモリに蓄積する必要があったが、本実施例のように、多重化コンテンツデータであれば、そこに含まれるすべてのコンテンツデータを管理し、ＥＰＧ機能を利用して一括して番組名や番組内容を表示することができるため、不揮発性メモリの容量を減らすことができる。
【００３６】
次に、車載用電子装置からの多重化コンテンツデータの移動について説明する。コントローラ１００Ａは、他の外部機器へ蓄積されたコンテンツデータを移動させることができる。好ましくは、データ出力１２０は、ＩＥＥＥ１３９４（ｉＬｉｎｋ）に準拠し、転送モードとして、１００Ｍｂｐｓ、２００Ｍｂｐｓ、４００Ｍｂｐｓを有する。記録装置８０からＴＳコンテンツデータを逐次シーケンシャルに転送する場合、４００Ｍｂｐｓの転送モードがあってもそれを十分に活用することができず、結果として、コンテンツデータの移動時間も長くなってしまう。例えば、ハイビジョンのＴＳコンテンツデータの符号化は、最大で２０Ｍｂｐｓ程度であり、最大転送モードの４００Ｍｂｐｓよりはるかに小さい。本実施例では、多重化コンテンツデータを移動させることで、一度に多くのコンテンツデータを効率よく短時間で他の外部機器へ移動させることができる。例えば、上記の例のように、コンテンツデータが２０Ｍｂｐｓであれば、おおよそ２０個のコンテンツデータを多重化して一度に移動することが可能となる。このようにＴＳを多重化して伝送することで帯域を有効活用でき、複数のコンテンツを伝送する場合の速度を比較的に向上させることができる。
【００３７】
次に、コンテンツデータの他の多重化の例について説明する。図７に示す多重化の例は、識別部３００を共通化することに加えて、ＰＡＴおよびＰＭＴを共通化する。まず、ＴＳ多重化部１１０は、３つのＴＳコンテンツデータＡ、ＢＣ（ＴＳ＿ｉｄ＝０１、０２、０３）を選択し、新たに共通の識別部３００（ＴＳ＿ｉｄ＝０４）を作成し、さらに、その下層の３つのＰＡＴを統合した共通のＰＡＴ３１０（Ｓｅｒｖｉｓｅ＿ｉｄ＝１００４）を作成し、さらにその下層の３つのＰＭＴを統合した共通のＰＭＴ３２０を作成する。
【００３８】
Ｓｅｒｖｉｃｅ＿ｉｄ＝１００４は、Ｓｅｒｖｉｃｅ＿ｉｄ＝１００１、１００２、１００３に関連付けされ、各Ｓｅｒｖｉｃｅ＿ｉｄ＝１００１、１００２、１００３は、それぞれ図４に示した映像ＥＳ＿ＰＩＤ、音声ＥＳ＿ＰＩＤ、データＥＳ＿ＰＩＤを有する。つまり、ＰＭＴ３２０に、３つのＴＳコンテンツデータＡ、Ｂ、Ｃが有する映像ＥＳ、音声ＥＳ及びデータＥＳのＰＩＤ情報を書き込み、さらに、これらのＥＳの関連付けを行うＰＣＲプログラム（ＰＣＲ＿ＰＩＤ＝０ｘ０４０４）を作成する。
【００３９】
図８は、他の多重化の例を示す図である。この例は、図７に示す例に加えて、データ部の映像ＥＳ、音声ＥＳおよびデータＥＳをそれぞれをグループ３３０、３４０、３５０にしている。この例は、マルチビューテレビ（ＭＶＴＶ）のシステムを流用する。ＭＶＴＶでは、EIT[p/f]の”component_group_descriptor”によりグループ化されたＥＳを、映像切替えに連動して切替えることができる。
【００４０】
次に、本発明の第２の実施例について説明する。多重化コンテンツデータを再生するとき、コンテンツによっては再生時間が異なり、コンテンツの切替を行ったとき、何も再生されない事態が発生し得る。例えば、コンテンツＡの再生時間が３０分、コンテンツＢの再生時間が９０分、コンテンツＣの再生時間が６０分とすると、これらの多重化コンテンツデータは、ＭＰＥＧデコーダによって、図９（ａ）に示すように再生される。縦軸は、時間軸であり、コンテンツＡ、Ｂ、Ｃは、同時に再生を開始され、ユーザがコンテンツＢを３０分視聴したあと、コンテンツＡに切替えると、コンテンツＡの再生はすでに終了しており、ディスプレイには何も表示されなくなる。同様に、コンテンツＢを６０分視聴した後では、コンテンツＡもＢも視聴することができない。
【００４１】
そこで第２の実施例では、図９（ｂ）に示すように、コンテンツＡ、Ｂ、Ｃをループ再生する。ループ再生とは、コンテンツを繰り返しエンドレスに再生することである。これにより、コンテンツＢを３０分視聴した後、コンテンツＡに切替えても、コンテンツＡを視聴することができる。また、コンテンツＢを６０分視聴した後でも、コンテンツＡやＣを視聴することができる。
【００４２】
以上、本発明の好ましい実施の形態について詳述したが、本発明に係わる特定の実施形態に限定されるものではなく、請求項の範囲に記載された本発明の要旨の範囲内において、種々の変形・変更が可能である。例えば、上記実施例では車載用電子装置を対象にしたが、本発明は、携帯端末やワンセグ専用受信機においても利用することができる。
【図面の簡単な説明】
【００４３】
【図１】本発明の実施例に係る車載用電子装置の構成を示すブロック図である。
【図２】ＴＳデータ構造を説明する図である。
【図３】ＴＳ多重化部の構成を示すブロック図である。
【図４】本発明の実施例に係る多重化コンテンツデータの例を示す図である。
【図５】従来の録画されるコンテンツデータの例を示す図である。
【図６】本実施例の車載用電子装置における録画再生の動作を示すフローチャートである。
【図７】他の多重化コンテンツデータの例を示す図である。
【図８】他の多重化コンテンツデータの例を示す図である。
【図９】図９（ａ）は、ループ再生しない多重化コンテンツデータの再生と時間との関係を示し、図９（ｂ）は、第２の実施例により多重化コンテンツデータをループ再生するときの時間軸との関係を示す図である。
【図１０】従来の車載用電子装置の構成を示すブロック図である。
【図１１】従来の車載用電子装置における録画再生動作を示すフローチャートである。
【符号の説明】
【００４４】
１、２：車載用電子装置            １０：アンテナ
２０：チューナ                    ３０：ＯＦＤＭ復調器
４０：ＴＳデコーダ                ５０、５０Ａ：ＭＰＥＧデコーダ
６０：ディスプレイ                ７０：スピーカ
８０：記録装置                    ９０：ユーザ入力
１００、１００Ａ：コントローラ    １１０：ＴＳ多重化部
１１２：選択部                    １１４：多重化作成部
１１６：記録部                    ２００：ＴＳデータ構造
２１０：ＴＳパケット              ２２０：ヘッダ部
２２２：識別部                    ２２４：ＰＡＴ
２２６：ＰＭＴ                    ２３０：データ部
２３２：映像ＥＳ                  ２３４：音声ＥＳ
２３６：データＥＳ                ３００：共通の識別部
３１０：共通のＰＡＴ              ３２００：共通のＰＭＴ
３３０、３４０、３５０：コンポーネントグループ
【図１】
2009212710.tif 000003
【図２】
2009212710.tif 000004
【図３】
2009212710.tif 000005
【図４】
2009212710.tif 000006
【図５】
2009212710.tif 000007
【図６】
2009212710.tif 000008
【図７】
2009212710.tif 000009
【図８】
2009212710.tif 000010
【図９】
2009212710.tif 000011
【図１０】
2009212710.tif 000012
【図１１】
2009212710.tif 000013